(57)【要約】      （修正有）【課題】修正テープ替芯の交換を容易にした回動蓋式の修正テープを提供する。【解決手段】本体２は受容スペース２１を有し、先端に開口２２が設けられ、前記本体２の基端が嵌設部２３を有し、下蓋３は凹部３１を有し、前記本体２の下側に接続され、第１ばね４は前記下蓋３の凹部３１内に設けられ、第２ばね５は下鉤部５１および上鉤部５２を有し、前記下鉤部５１が、前記本体２に設けられた係止部に係止され、押圧部６は前記嵌設部２３内に設けられ、前記第１ばね４に接続され、前記押圧部６に凸部６１が設けられ、蓋体７は前記本体２の上に設けられ、穴および枢設部７２を有し、前記穴に前記第２ばね５の上鉤部５２が挿入され、固定部材８は、前記押圧部６が前記固定部材８よりも外側に突出するように、前記蓋体７の上に設けられかつ前記嵌設部２３に接続されている。【選択図】図２
0003179956.tif 000002
【実用新案登録請求の範囲】
【請求項１】
本体、下蓋、第１ばね、第２ばね、押圧部、蓋体および固定部材を含む回動蓋式の修正テープであり、
前記本体は受容スペースを有し、前記本体の先端に開口が設けられ、前記本体の基端が嵌設部を有し、
前記下蓋は凹部を有し、前記本体の下側に接続され、
前記第１ばねは前記下蓋の凹部内に設けられ、
前記第２ばねは下鉤部および上鉤部を有し、前記下鉤部が、前記本体に設けられた係止部に係止され、
前記押圧部は前記嵌設部内に設けられ、前記第１ばねに接続され、前記押圧部に凸部が設けられ、
前記蓋体は前記本体の上に設けられ、穴および枢設部を有し、前記穴に前記第２ばねの上鉤部が挿入され、
前記固定部材は、前記押圧部が前記固定部材よりも外側に突出するように、前記蓋体の上に設けられかつ前記嵌設部に接続され、
前記押圧部を押圧してそれを下降させると、前記第２ばねの弾力により前記蓋体が回動し、一方、前記蓋体が逆方向に初期位置に回動すると、前記押圧部が上に向かって原位置に戻ることを特徴とする回動蓋式の修正テープ。
【請求項２】
前記蓋体の枢設部の内側には、凹みと、前記凹みに連通する弧形溝とが設けられ、前記弧形溝の深さは前記凹みから離れるほど深くなることを特徴とする請求項1に記載の回動蓋式の修正テープ。
【請求項３】
前記押圧部が初期状態にあるときに、前記押圧部の凸部は前記蓋体の枢設部の前記凹み内に嵌められ、一方、前記押圧部が下降すると、前記蓋体が回動した後、前記押圧部の凸部は前記蓋体の枢設部の前記弧形溝の最深箇所の側壁に当接することを特徴とする請求項2に記載の回動蓋式の修正テープ。
【請求項４】
前記本体の基端には、文字上に塗布された修正テープをこすり落とすまたはふき取るためのふき取り部がさらに設けられたことを特徴とする請求項1に記載の回動蓋式の修正テープ。
【請求項５】
前記ふき取り部は装着部と締結部との係合により前記本体の基端に設けられ、前記装着部が前記本体の基端に設けられ、前記ふき取り部が前記装着部の上に設けられ、前記締結部が前記ふき取り部の上に設けられたことを特徴とする請求項4に記載の回動蓋式の修正テープ。
【請求項６】
前記ふき取り部は軟質プラスチック材料であることを特徴とする請求項4に記載の回動蓋式の修正テープ。
【請求項７】
前記固定部材に柱体が少なくとも設けられ、前記柱体は下方に向かって延在し、前記嵌設部に孔が少なくとも設けられ、前記孔は前記柱体に係合されたことを特徴とする請求項1に記載の回動蓋式の修正テープ。
【請求項８】
前記本体の受容スペースに制限部が設けられて前記本体に収容された受容スペース内の修正テープ替芯の移動を制限することを特徴とする請求項1に記載の回動蓋式の修正テープ。
【請求項９】
前記本体の先端のすぐ近くに第１係止部が設けられ、前記蓋体に、前記第１係止部に係止される第２係止部が設けられたことを特徴とする請求項1に記載の回動蓋式の修正テープ。
【考案の詳細な説明】
【技術分野】
【０００１】
本考案は修正テープに関し、特に、押圧部を押すと、蓋体を回動させて開けることができる回動蓋式の修正テープに関する。
【背景技術】
【０００２】
従来の修正テープには各種の型式があり、これらの型式の主要な特徴では、筐体内に、連動するテープリールおよび回収リールが設けられ、前記テープリール上にテープが巻かれておき、前記テープは筐体先端の転写ヘッドを回って、前記回収リールに巻かれる。修正テープの転写ヘッドが紙上を移動するときに、前記テープを紙上に押し付け、テープ上の白色塗膜を紙上に転写して白色塗膜が書き損じを覆い、一方、使用後のテープは前記回収リール上に巻き回される。
【考案の概要】
【考案が解決しようとする課題】
【０００３】
しかし、これらの従来の修正テープは共通の欠点を有し、すなわち、修正テープ替芯を交換するために、使用者は蓋体および本体を一々取り外して本体の受容スペースを露出させ、そして、蓋体と本体をぴったり合うように組み付ける必要がある。修正テープ替芯の交換過程で時間を浪費してしまい、さらに、蓋体と本体をぴったり合うように組み付けるのは容易ではないため、修正テープを改善する余地がある。
【課題を解決するための手段】
【０００４】
先行技術の問題点を解決するために、本考案は回動蓋式の修正テープを提供する。本考案に係る回動蓋式の修正テープでは、押圧部を押圧するだけで、蓋体が回動して開き、受容スペースが露出して、使用者が修正テープ替芯を交換しやすくなる。その後、蓋体を逆方向に初期位置に回動させて、本考案に係る回動蓋式の修正テープを使用することができる。
【０００５】
本考案に係る回動蓋式の修正テープは、本体、下蓋、第１ばね、第２ばね、押圧部、蓋体および固定部材を含む回動蓋式の修正テープであり、前記本体は受容スペースを有し、前記本体の先端に開口が設けられ、前記本体の基端が嵌設部を有し、前記下蓋は凹部を有し、前記本体の下側に接続され、前記第１ばねは前記下蓋の凹部内に設けられ、前記第２ばねは下鉤部および上鉤部を有し、前記下鉤部が、前記本体に設けられた係止部に係止され、前記押圧部は前記嵌設部内に設けられ、前記第１ばねに接続され、前記押圧部に凸部が設けられ、前記蓋体は前記本体の上に設けられ、穴および枢設部を有し、前記穴に前記第２ばねの上鉤部が挿入され、前記固定部材は、前記押圧部が前記固定部材よりも外側に突出するように、前記蓋体の上に設けられかつ前記嵌設部に接続され、前記押圧部を押圧してそれを下降させると、前記第２ばねの弾力により前記蓋体が回動し、一方、前記蓋体が逆方向に初期位置に回動すると、前記押圧部が上に向かって原位置に戻る。
【０００６】
好ましくは、前記蓋体の枢設部の内側には、凹みと、前記凹みに連通する弧形溝とが設けられ、前記弧形溝の深さは前記凹みから離れるほど深くなる。
好ましくは、前記押圧部が初期状態にあるときに、前記押圧部の凸部は前記蓋体の枢設部の前記凹み内に嵌められ、一方、前記押圧部が下降すると、前記蓋体が回動した後、前記押圧部の凸部は前記蓋体の枢設部の前記弧形溝の最深箇所の側壁に当接する。
【０００７】
好ましくは、前記本体の基端には、文字上に塗布された修正テープをこすり落とすまたはふき取るためのふき取り部がさらに設けられた。
好ましくは、前記ふき取り部は装着部と締結部との係合により前記本体の基端に設けられ、前記装着部が前記本体の基端に設けられ、前記ふき取り部が前記装着部の上に設けられ、前記締結部が前記ふき取り部の上に設けられた。
【０００８】
好ましくは、前記ふき取り部は軟質プラスチック材料である。
好ましくは、前記固定部材に柱体が少なくとも設けられ、前記柱体は下方に向かって延在し、前記嵌設部に孔が少なくとも設けられ、前記孔は前記柱体に係合された。
【０００９】
好ましくは、前記本体の受容スペースに制限部が設けられて前記本体に収容された受容スペース内の修正テープ替芯の移動を制限する。
好ましくは、前記本体の先端のすぐ近くに第１係止部が設けられ、前記蓋体に、前記第１係止部に係止される第２係止部が設けられた。
【考案の効果】
【００１０】
従来技術に比べて、本考案は蓋体と本体を一々取り外す必要がなく、蓋体と本体を組み付ける必要もないため、修正テープ替芯の交換は短時間で済み、かつ操作も簡単である。また、使用者が本体基端のふき取り部により文字上の修正テープをこすり落としてまたはふき取って、修正テープが文字上から剥離するまたは落ちる。
【図面の簡単な説明】
【００１１】
【図１】本考案に係る回動蓋式の修正テープを示した組立図である。
【図２】本考案に係る回動蓋式の修正テープを示した分解図である。
【図３】本考案に係る回動蓋式の修正テープを異なる視角で示した分解図である。
【図４】本考案に係る回動蓋式の修正テープを異なる視角で示した分解図である。
【図５】本考案に係る回動蓋式の修正テープの、蓋体が回動した後の状態を示した組立図である。
【考案を実施するための形態】
【００１２】
本考案について本考案の好ましい実施例に添付された図面を参照して十分に説明するが、この説明に先立って、当業者が本明細書で説明された考案を変更するとともに、本考案の効果を得ることができることを理解すべきである。このため、以上の説明が当業者にとって一般的な開示であり、かつその内容が本考案を制限しないことを理解すべきである。
【００１３】
図１と図２をご参照ください。それぞれは本考案に係る回動蓋式の修正テープを示した組立図と分解図である。本実施例において、本考案に係る回動蓋式の修正テープ１は本体２、下蓋３、第１ばね４、第２ばね５、押圧部６、蓋体７および固定部材８を含み、本体２は受容スペース２１を有し、前記本体２の先端に開口２２が設けられ、前記本体２の基端が嵌設部２３を有し、下蓋３は凹部３１を有し、前記本体２の下側に接続され、第１ばね４は前記下蓋３の凹部３１内に設けられ、第２ばね５は下鉤部５１および上鉤部５２を有し、前記下鉤部５１が、前記本体２に設けられた係止部２４に係止され、押圧部６は前記嵌設部２３内に設けられ、前記第１ばね４に接続され、前記押圧部６に凸部６１が設けられ、蓋体７は前記本体２の上に設けられ、穴７１および枢設部７２を有し、前記穴７１に前記第２ばね５の上鉤部５２が挿入され、固定部材８は、前記押圧部６が前記固定部材８よりも外側に突出するように、前記蓋体７の上に設けられかつ前記嵌設部２３に接続されている。
【００１４】
図３と図４をご参照ください。それぞれは本考案に係る回動蓋式の修正テープを異なる視角で示す分解図である。図２、図３および図４に示すように、前記蓋体７の枢設部７２の内側には、凹み７３と前記凹み７３に連通する弧形溝７４とが設けられ、前記弧形溝７４の深さは前記凹み７３から離れるほど深くなる。前記本体２の基端には、文字上に塗布された修正テープ（図示せず）をこすり落とすまたはふき取るためのふき取り部９がさらに設けられている。前記ふき取り部９は装着部２５と締結部１０との係合により前記本体２の基端に設けられ、前記装着部２５は前記本体２の基端に設けられ、前記ふき取り部９は前記装着部２５の上に設けられ、前記締結部１０は前記ふき取り部９の上に設けられている。前記装着部２５は長円柱２５１を有し、前記ふき取り部９は長円柱形の穴９１を有し、前記長円柱形の穴９１の直径が前記長円柱２５１の直径より大きく、前記ふき取り部９が前記装着部２５に挿入された後、前記締結部１０の長円柱１０１が前記装着部の長円柱２５１内に挿入されて前記ふき取り部９を固定する。前記ふき取り部９は軟質プラスチック材料である。
【００１５】
前記固定部材８には柱体８１が少なくとも設けられ、前記柱体８１は下方に向かって延在し、前記嵌設部２３には孔２３１が少なくとも設けられ、前記孔２３１は前記柱体８１に係合され、前記固定部材８の柱体８１が前記嵌設部２３の孔２３１に接合され、前記固定部材８により前記蓋体７を固定して前記蓋体７と前記本体２を安定に連結することができる。前記本体２の受容スペース２１に制限部２６が設けられ、前記制限部２６は前記嵌設部２３のすぐ近くにあり、前記制限部２６は前記本体２の受容スペース２１内に収容された修正テープ替芯（図示せず）移動を制限するために用いられる。前記本体２の先端のすぐ近くには第１係止部２７が設けられ、前記蓋体７には、前記第１係止部２７に係止される第２係止部７５が設けられている。
【００１６】
図１と図５をご参照ください。図５は本考案に係る回動蓋式の修正テープの、蓋体が回動した後の状態を示した組立図である。本考案に係る回動蓋式の修正テープ１は図１の状態で、すなわち本考案に係る回動蓋式の修正テープ１が通常の使用状態（前記蓋体７が閉じた状態）で、前記押圧部６が初期状態にあるときに、前記押圧部６の凸部６１は前記蓋体７の枢設部７２の前記凹み７３内に嵌められる。一方、前記押圧部６が下降する（前記押圧部６が前記第１ばね４を圧する）と、前記第２ばね５が圧縮状態から自由状態に戻るため、前記第２ばね５により弾力を与えることにより、前記押圧部６の凸部６１が前記蓋体７の枢設部７２の前記弧形溝７４の最深箇所の側壁７６に当接するまで前記蓋体７が時計回り（図５の矢印の示す方向）に回動すると、前記蓋体７の回動が停止する。このとき、本考案に係る回動蓋式の修正テープ１の本体２に前記受容スペース２１が露出して、使用者が修正テープ替芯を交換できる。その後、使用者は、前記蓋体７が初期位置に回動するまで前記蓋体７を反時計回りに回動させた後、前記第１ばね４により上向きの弾力を与えることにより、前記押圧部６が上に向かって原位置に戻り、すなわち、前記押圧部６の凸部６１は再度、前記蓋体７の枢設部７２の前記凹み７３内に嵌められる。同時に、前記本体２の第１係止部２７は前記蓋体７の第２係止部７５に係止される。
【００１７】
本考案に係る回動蓋式の修正テープのメリットは次のとおりである。
使用者は前記押圧部を押圧し、それを下降させると、前記蓋体が時計回りに回動し、本考案に係る回動蓋式の修正テープの本体に前記受容スペースが露出して、使用者が修正テープ替芯を交換できる。その後、使用者は、前記蓋体が初期位置に回動するまで前記蓋体を反時計回りに回動させると、本考案に係る回動蓋式の修正テープを使用できる。前記押圧部を押圧して前記蓋体を開けて修正テープ替芯を交換するのは、使用者にとって、操作が非常に便利で容易である。
【００１８】
また、文字上に誤って塗布された修正テープについて、使用者は前記本体の基端のふき取り部により前記修正テープをこすり落としてまたはふき取って前記修正テープを文字上から剥離させるまたは落とす。
【００１９】
本考案の好ましい実施例を詳しく説明したが、当業者は、実用新案登録請求の範囲と精神から逸脱しない限り、種々の変化と変更をすることができ、かつ本考案明細書において挙げられた実施例にも限られないことをはっきりと理解できる。
【符号の説明】
【００２０】
１      回動蓋式の修正テープ
２      本体
２１    受容スペース
２２    開口
２３    嵌設部
２３１  孔
２４    係止部
２５    装着部
２５１  長円柱
２６    制限部
２７    第１係止部
３      下蓋
３１    凹部
４      第１ばね
５      第２ばね
５１    下鉤部
５２    上鉤部
６      押圧部
６１    凸部
７      蓋体
７１    穴
７２    枢設部
７３    凹み
７４    弧形溝
７５    第２係止部
７６    側壁
８      固定部
８１    柱体
９      ふき取り部
９１    長円柱形の穴
１０    締結部
１０１  長円柱
【図１】
0003179956.tif 000003
【図２】
0003179956.tif 000004
【図３】
0003179956.tif 000005
【図４】
0003179956.tif 000006
【図５】
0003179956.tif 000007